(57)【要約】【課題】  正確に記録或いは再生を中断するタイミングを検出することが可能な光学的情報記録再生装置を提供する。【解決手段】  フォーカスエラー信号、トラッキングエラー信号といった光ディスク１への照射状態を示す状態検出信号（パラメータ）を組み合わせて、記録或いは再生を中断するタイミングを設定することにより、記録或いは再生を中断するタイミングを正確に検出する。また、状態検出信号としては、光ビームのトラッキングエラー信号やフォーカシングエラー信号の他に、光ディスクからの反射光の総和光量を示す和信号レベル値、光ビームを光ディスク上に集光する対物レンズの位置を監視するレンズ位置センサの出力値等のいずれか二つ以上を組み合わせて使用する。【選択図】        図１
2006004568.tif 000002
【特許請求の範囲】
【請求項１】
光ビームを光学的情報記録媒体上に照射し、情報の記録或いは再生を行う光学的情報記録再生装置において、前記光ビームの照射状態に応じた複数の状態検出信号を出力する手段と、前記複数の状態検出信号の組み合せに基づいて前記光ビームの所望の照射状態からの逸脱を判別し、記録又は再生動作を停止させる手段とを備えたことを特徴とする光学的情報記録再生装置。
【請求項２】
前記状態検出信号は、前記光ビームのトラッキングエラー値、フォーカシングエラー値、前記媒体からの反射光の総和光量を示す和信号レベル値、前記光ビームを媒体上に集光する対物レンズの位置センサの出力値又は光ビームのパワーレベル値のいずれか二つ以上を含み、前記停止手段はそれらの状態検出信号の組み合わせに応じて設定する所定条件を満たすことを検知した場合、記録又は再生動作を停止させることを特徴とする請求項１に記載の光学的情報記録再生装置。
【請求項３】
前記複数の状態検出信号状態検出信号に対して設定する閾値は一方の状態検出信号の検出結果に応じて、他方の状態検出信号に対応する閾値を算出またはテーブルを参照して設定することを特徴とする請求項１〜２のいずれか１項に記載の光学的情報記録再生装置。
【請求項４】
前記状態検出信号はトラッキングエラー値とフォーカシングエラー値であり、前記停止手段は前記フォーカスエラー値が前記トラッキングエラー値に応じて設定された第１の閾値以上になった場合、記録又は再生動作を停止させることを特徴とする請求項２に記載の光学的情報記録再生装置。
【請求項５】
前記状態検出信号はレンズ位置センサの出力値と和信号レベル値であり、前記停止手段は前記和信号レベル値が前記レンズ位置センサの出力値に応じて設定された第２の閾値以下になった場合、記録又は再生動作を停止させることを特徴とする請求項２に記載の光学的情報記録再生装置。
【請求項６】
前記状態検出信号は前記和信号レベル値とトラッキングエラー値であり、前記停止手段は前記和信号レベル値が前記トラッキングオフセット値に応じて設定された第３の閾値以下になった場合、記録又は再生動作を停止させることを特徴とする請求項２に記載の光学的情報記録再生装置。
【請求項７】
前記所定条件は、前記装置内温度又は前記媒体の反射率の相違に基づいて選択的に切り替えることを特徴とする請求項２に記載の光学的情報記録再生装置。
【発明の詳細な説明】
【技術分野】
【０００１】
本発明は、光学的記録媒体にデータの記録または再生を行う光学的情報記録再生装置、特に、装置に振動や衝撃等の外乱が加わっても、データの信号品位を落とす事無く記録再生する為の技術に関するものである。
【背景技術】
【０００２】
従来より、光学的記録媒体を用いた光ディスク装置において、一時的にデータを蓄えるメモリ（以下ショックプルーフメモリという）を備え、間欠的に光ディスクへのデータの記録再生を行うことで、装置に衝撃や振動といった外乱が加わっても、データが途切れることなく、記録再生を行えるものが数多く提案されている。これは、例えば、特開平０８−００７２８７号公報（特許文献１）等に提案されている。
【０００３】
図１０はこの従来のショックプルーフメモリを用いて記録再生を行う光ディスク装置を示す図である。
【０００４】
まず、光ディスク１にピックアップ３からレーザ光が照射され、その反射光がピックアップ３内の図示しないセンサに入射する。そのセンサへの入射光に応じた信号がフォーカスエラー生成回路４及びトラッキングエラー生成回路７に入力され、その出力であるフォーカスエラー信号及びトラッキングエラー信号に位相補償フィルタ５及び８により位相補償処理が行われる。位相補償フィルタ５、８の出力に応じてフォーカスアクチュエータドライバー６及びトラッキングアクチュエータドライバー９がピックアップ３内の図示しないアクチュエータを駆動し、レーザ光が光ディスク１上の所望のトラックに集光するフォーカス・トラッキング制御を行う。
【０００５】
データを再生する場合、所望のトラックにレーザ光が集光された後、光ディスク１からのデータの読み出しを開始する。光ディスク１から読み出されたデータは図示しない信号処理回路を経て一度ショックプルーフメモリ１０に蓄えられる。その後、ショックプルーフメモリ１０内のデータ量が所定値以上になったら光ディスク１からのデータの読み出しを一度中断する。ショックプルーフメモリ１０内のデータはデコーダ１１に入力され、デコーダ１１はショックプルーフメモリ１０からのデータを音声または画像信号等に変換した再生信号を出力する。ショックプルーフメモリ１０内のデータ量が所定値以下になったら、光ディスク１からのデータの読み出しを再開する。
【０００６】
次に、データを記録する場合には、先ず、図示しないＣＣＤやマイクによって検出された光または音声データ等の記録信号がエンコーダ１２によって光ディスク１への記録フォーマットに従ったデータ列に変換される。この記録データは、一旦、ショックプルーフメモリ１０に蓄えられる。ショックプルーフメモリ１０内のデータ量が所定値以上になったら、光ディスク１の所望のトラックにレーザ光を集光し、ショックプルーフメモリ１０内の記録データを光ディスク１に記録する。
【０００７】
光ディスク１へデータを記録している間、トラッキングエラー監視回路１３にはトラッキングエラー信号が入力されている。トラッキングエラー監視回路１３には、例えば、レーザ光がトラックとトラックの間に位置する場合の信号に相当する大きさの閾値がトラッキングエラー信号レベルに対して設定されている。また、トラッキングエラー信号レベルがこの閾値を超えた時、トラッキングエラー監視回路１３は記録停止信号をコントローラ14に出力する。記録停止信号が入力されると、コントローラ１４は光ディスク１へのデータの記録を停止すべくレーザ出力を下げ、ピックアップ３内の図示しない対物レンズを光ディスク１から遠ざける。
【０００８】
その後、光ディスク１上の所望のトラックに再びレーザ光を集光すべくフォーカス・トラッキング制御を行い、記録を停止したことにより正常に記録できなかったデータの記録を再開する。この記録を停止してからトラッキング制御を行い、記録を再開するまでの間、エンコーダ１２から出力された記録データはショックプルーフメモリ１０に蓄えられるので、記録データが途切れることはなく、また衝撃によりレーザ光が本来記録すべきトラックの隣のトラックにデータを記録してしまう様なことも防げる。
【０００９】
光ディスク１からデータを読み出している間もトラッキングエラー監視回路１３はトラッキングエラー信号レベルを監視し、トラッキング制御が外れたことを検知した場合には、再生停止信号をコントローラ１４に出力する。再生停止信号が入力されるとコントローラ１４は光ディスク１からのデータの読み出し動作を停止すべくピックアップ３内の図示しない対物レンズを光ディスク1から遠ざける。
【００１０】
その後、光ディスク１上の所望のトラックに再びレーザ光を集光すべくフォーカス・トラッキング制御を行い、光ディスク１からのデータの読み出しを再開する。この光ディスク１からのデータの読み出しを停止してからフォーカス・トラッキング制御を行い、読み出しを再開するまでの間、ショックプルーフメモリ１０に蓄えられたデータをデコーダ１１に出力している為、光ディスク装置に衝撃が加わっても再生データが途切れることがない。
【００１１】
以上の様にショックプルーフメモリ１０に記録或いは再生データを一時蓄えておく光ディスク装置において、トラッキングエラー信号を監視することで、記録或いは再生動作を停止するタイミングを検出し、記録或いは再生データが途切れたり、誤ってデータを上書きしてしまうことを防いでいる。
【特許文献１】特開平０８−００７２８７号公報
【発明の開示】
【発明が解決しようとする課題】
【００１２】
従来の光ディスク装置においては、トラッキング外れと判断するトラッキングエラー信号に対する閾値は固定値となっている。また、記録或いは再生信号の品位が所定値以下になることが予測される閾値をトラッキングエラー信号や和信号レベルに対して設定し、記録再生を停止する方法もある。しかし、このトラッキングエラー信号や和信号レベルに対して設定する閾値も各信号に対して設定しているに過ぎない。
【００１３】
このように記録再生を停止するタイミングを検出する為に監視する信号がトラッキングエラー信号や和信号等独立で監視している場合、以下に挙げる問題点がある。
【００１４】
例えば、トラッキングエラー信号のみを参照し、記録再生を停止するタイミングを検出する場合、トラッキングエラー信号レベルを参照するということはレーザ光の光ディスクに対するデトラック量を参照するということになる。この場合、記録再生を停止するデトラック量として、ある閾値を設定し、記録再生を停止するタイミングを計った場合、デトラック量が閾値を超えても、デフォーカス量が全く無かった場合には、信号品位は記録再生を停止する所まで落ちていないことがある。
【００１５】
また、逆に、デトラック量が閾値を超えてなくても、その時のデフォーカス量によっては信号品位が記録再生を停止する所まで落ちている場合がある。この様に記録再生を停止するタイミングを検出する為に監視する信号が一つだけであったり、またその信号に対して設定する閾値が固定値であると、記録再生を停止するタイミングの検出が正確に出来ない。
【００１６】
記録再生を停止するタイミングを正確に検出出来ないと、例えば、再生中に本来停止すべきであった信号品位であるデータをそのまま再生しようとして、ＥＣＣ処理を行ったところ、ＥＣＣで訂正し切れないほどの誤り率のデータ品位である為に、ＥＣＣ処理を行って始めて再生を停止すべきデータであったことが判明する。そうすると、信号品位の悪かったトラックに再びトラッキング制御を行い、データを再び読み込まなければならないので、その分の時間が無駄になり、最悪の場合は再生データが途切れてしまう。
【００１７】
また、記録中に記録を中断するタイミングが正確に検出出来ないと、ＥＣＣ処理では訂正しきれないほどの誤り率のデータをディスクに記録してしまう事がある。更に、記録再生中に本来記録再生停止するほどでないサーボ偏差で記録再生を停止してしまうと、記録再生を停止したトラックに再びフォーカス・トラッキング制御を行う為の消費電力が無駄になってしまう問題があった。
【００１８】
本発明は、上記従来の問題点に鑑みなされたもので、その目的は、正確に記録或いは再生を中断するタイミングを検出することが可能な光学的情報記録再生装置を提供することにある。
【課題を解決するための手段】
【００１９】
本発明は、上記目的を達成する為、光ビームを光学的情報記録媒体上に照射し、情報の記録或いは再生を行う光学的情報記録再生装置において、前記光ビームの照射状態に応じた複数の状態検出信号を出力する手段と、前記複数の状態検出信号の組み合せに基づいて前記光ビームの所望の照射状態からの逸脱を判別し、記録又は再生動作を停止させる手段とを備えたことを特徴とする。
【発明の効果】
【００２０】
本発明によれば、フォーカスエラー信号やトラッキングエラー信号といった光ディスクへの照射状態を示すパラメータを組み合わせて記録或いは再生の中断条件を設定することにより、記録或いは再生を中断するタイミングを正確に検出することができる。
【発明を実施するための最良の形態】
【００２１】
次に、発明を実施するための最良の形態について図面を参照して詳細に説明する。
【００２２】
（第１の実施形態）
図１は本発明による光学的情報記録再生装置の第１の実施形態の構成を示すブロック図である。図１では図１０に示す従来装置と同じ機能を有するブロックには同じ番号を付して説明を省略する。本実施形態においても、データの記録或いは再生を行う際には、まず、記録或いは再生データをショックプルーフメモリ１０に蓄え、ショックプルーフメモリ１０内の記録データ量が所定値以上もしくは再生データ量が所定値以下になると、光ディスク１上の所望のトラックにフォーカス・トラッキング制御を行い、光ディスク１へのデータの記録或いは光ディスク１からの読み出しを行う。
【００２３】
光ディスク１へのデータの記録或いは光ディスク１からの読み出しが行われている時、フォーカスエラー信号及びトラッキングエラー信号は共にエラー判別回路１５に入力される。フォーカスエラー信号及びトラッキングエラー信号双方を参照することはレーザ光の光ディスク１に対するデフォーカス量及びデトラック量双方を参照することであり、記録或いは再生データ品位が所定値よりも下がると予測されるデフォーカス量及びデトラック量が発生した場合、エラー判別回路１５は記録再生停止信号をコントローラ１４に出力する。記録再生停止信号に応じてコントローラ１４はレーザ出力を下げ、光ディスク１への記録或いは光ディスク１からの読み出し動作を停止する。
【００２４】
光ディスク１への記録或いは光ディスク１からの読み出し動作の停止後、コントローラ１４は記録或いは読み出し動作を停止した光ディスク１上のトラックに集光する様にフォーカス・トラッキング制御を行い、光ディスク１へのデータの記録或いは光ディスク１からの読み出し動作を再開する。光ディスク１への記録或いは光ディスク１からの読み出し動作が停止されてから再開されるまで、記録中であった場合は記録データはショックプルーフメモリ１０に格納され、再生中であった場合はショックプルーフメモリ１０に格納された再生データを用いて再生を行う。
【００２５】
次に、エラー判別回路１５の動作について図２のフローチャートを用いて説明する。先ず、エラー判別回路１５にトラッキングエラー信号ＴＥ及びフォーカスエラー信号ＦＥが入力される（Ｓ１１及びＳ１２）。次いで、トラッキングエラー信号レベルを閾値ＴＥ−ｔｈと比較する（Ｓ１３）。この閾値ＴＥ−ｔｈはフォーカスエラー信号レベルの大きさ、即ち、デフォーカス量に依らず(例えデフォーカス量０でも)記録再生を停止すべきトラッキングエラー信号レベルに設定する。
【００２６】
トラッキングエラー信号レベルＴＥがＴＥ−ｔｈ以上だった場合には、エラー判別回路１５は直ちにコントローラ１４に記録再生停止信号を出力する（Ｓ１６）。トラッキングエラー信号レベルがＴＥ−ｔｈ未満だった場合には、次にトラッキングエラー信号レベルに基づいた記録再生を中断すべきフォーカスエラー信号レベルに対する閾値ＦＥ−ｔｈを設定する（Ｓ１４）。
【００２７】
ＦＥ−ｔｈの設定方法について図３を用いて説明する。横軸はデトラック量、縦軸はデフォーカス量である。図中線で隔たれた２つの領域の内、右上側が記録再生を停止すべきデトラック量とデフォーカス量の組み合わせとなる。反対に左下側は記録再生を停止しなくても良いデトラック量とデフォーカス量の組み合わせとなる。即ち、トラッキングエラー信号レベルがデトラック量にして、例えば、４０ｎｍに相当した場合に、記録再生を停止するデフォーカス量は０．６μｍに設定し、そのデフォーカス量に相当する閾値をフォーカスエラー信号レベルに対して設定する。
【００２８】
即ち、トラッキングエラー信号を参照してデトラック量が４０ｎｍであり、且つ、デフォーカス量が０．６μｍ以上であった時に記録再生を停止し、デトラック量が４０ｎｍでもデフォーカス量が０．４μｍだったら記録再生は停止しない。これに対してデトラック量が６０ｎｍで、デフォーカス量が０．４μｍ以上であったら記録再生を停止する。この様にフォーカスエラー信号及びトラッキングエラー信号双方を監視して、二つの関係が例えば式（１）を満たす様な場合に記録再生を停止することにより、記録再生を停止するタイミングを検出する。
【００２９】
ＫＴ・ＤＴ＋ＤＦ  ≧ＫＴ・ＤＴ＋１μｍ    …（１）
但し、ＫＴはデトラック量の係数、ＤＴはデトラック量、ＤＦはデフォーカス量である。
【００３０】
トラッキングエラー信号レベルに基づいたフォーカスエラー信号レベルに対して設定する閾値ＦＥ−ｔｈは、式（１）に基づいて算出しても良いし、トラッキングエラー信号レベルに対応するフォーカスエラー信号レベルの閾値ＦＥ−ｔｈをテーブルで用意しても良い。図３に示す記録再生を停止する条件に基づき、且つ、式（１）を用いてＦＥ−ｔｈを求める方法について述べる。図３の直線の傾きより、ＫＴ＝−１０となり、例えば、ＤＴ＝４０ｎｍの時、これらの値を式（１）に代入するとデトラック量が４０ｎｍの時の記録再生を中断すべき条件は、
ＤＦ≧０．６μｍ    …（２）
となり、ＦＥ−ｔｈ＝０．６μｍとなる。
【００３１】
次に、フォーカスエラー信号レベルと前述の様に設定された閾値ＦＥ−ｔｈを比較する（Ｓ１５）。この時、フォーカスエラー信号レベルがＦＥ−ｔｈ以上だった場合には、エラー判別回路１５は記録再生停止信号を出力する（Ｓ１６）。
【００３２】
本実施形態の様にフォーカスエラー信号レベルとトラッキングエラー信号レベルを組み合わせて記録再生の中断条件を決定する効果について図４を用いて説明する。同図において、横軸はデトラック量、縦軸はそのデトラック量において記録或いは再生を行った場合の再生信号のｂＥＲとする。また、記録或いは再生を中断するｂＥＲの値をｂＥＲ−ｔｈとする。ここで、例えば、フォーカスエラー信号レベルがＦＥ−ａ(ここでＦＥ−ａに対応するデフォーカス量は０．１μｍとする)の時のデトラック量に対するｂＥＲの特性を図中aの曲線で示すものとする。
【００３３】
この特性において、記録或いは再生を中断すべきデトラック量は１００ｎｍとなる。これに対し、フォーカスエラー信号レベルがＦＥ−ｂ(ここでＦＥ−ｂに対応するデフォーカス量は０．５μmとする)の時のデトラック量に対するｂＥＲの特性を図中ｂの曲線で示すものとする。この特性において、記録或いは再生を中断すべきデトラック量は７０ｎｍとなる。
【００３４】
この様にデトラック量が同じ７０ｎｍでもデフォーカス量が０．１μmの時は記録或いは再生を中断する必要は無いが、デフォーカス量が０．５μmの時は記録或いは再生を中断する必要がある。即ち、トラッキングエラー信号レベルからデトラック量を検出した後に、そのデトラック量から記録或いは再生を中断すべきフォーカスエラー信号レベルの閾値を設定することにより、正確に記録或いは再生を中断するタイミングを検出することができる。
【００３５】
また、本実施形態の様にフォーカスエラー信号及びトラッキングエラー信号双方の信号レベルを監視することにより、記録再生を停止する適切なタイミングを検出できる。またフォーカスエラー信号及びトラッキングエラー信号二つを参照して記録再生を停止するタイミングを正確に検出出来る為、無駄に記録再生を中断して、その分の復帰処理に要する消費電力が発生しない。
【００３６】
更に、装置内に光ディスク装置内の温度を検出する手段を設け、トラッキングエラー信号及びフォーカスエラー信号に対する閾値の算出または設定を温度の検出結果に応じて変化させる構成にしてもよい。また、フォーカスまたはトラッキングエラー信号レベル等から光ディスクの反射率を検出する手段を設け、トラッキングエラー信号及びフォーカスエラー信号に対する閾値の算出または設定を反射率の検出結果に応じて変化させる構成にしてもよい。
【００３７】
（第２の実施形態）
図５は本発明の第２の実施形態を示すブロック図である。図５では図１０の従来装置と図１の第１の実施形態と同じ機能を持つブロックには同じ番号を付している。本実施形態においても、データの記録或いは再生を行う際は、記録或いは再生データはショックプルーフメモリ１０に蓄えられ、ショックプルーフメモリ１０内の記録データ量が所定値以上もしくは再生データ量が所定値以下になると、光ディスク１上の所望のトラックにフォーカス・トラッキング制御を行い、光ディスク１へのデータの記録或いは光ディスク１からのデータの読み出しを行う。
【００３８】
また、和信号生成回路１６は光ディスク１からの反射光量の総和に相当する和信号を生成する。レンズ位置信号生成回路１７はピックアップ３内の図示しないキャリッジと対物レンズの相対位置を示すレンズ位置信号を生成する。即ち、レンズ位置信号は対物レンズのトラッキング方向の位置を示す信号で、図示しないレンズ位置センサの出力に基づいて検出する。
【００３９】
光ディスク１へのデータの記録或いは再生が行われている時、和信号とレンズ位置信号は共にエラー判別回路１５に入力される。外部から振動、衝撃等が加わり、記録或いは再生データ品位が所定値よりも下がると予測される和信号レベル及びレンズ位置信号が発生した場合には、エラー判別回路１５は記録再生停止信号をコントローラ１４に出力する。記録再生停止信号に応じてコントローラ１４はレーザ出力を下げ、光ディスク１への記録或いは光ディスク１からの読み出し動作を停止する。
【００４０】
光ディスク１への記録或いは光ディスク１への読み出し動作の停止後、コントローラ１４は記録或いは読み出し動作を停止したトラックに集光する様にフォーカス・トラッキング制御を行い、光ディスク１へのデータの記録或いは光ディスク１からの読み出しを再開する。光ディスク１への記録或いは光ディスク１からの読み出しが停止されてから再開されるまで、光ディスク１へ記録中であった場合は記録データはショックプルーフメモリ１０に格納され、光ディスク１から読み出し中であった場合はショックプルーフメモリ１０に格納されたデータを用いて再生を行う。
【００４１】
次に、エラー判別回路１５の動作について図６のフローチャートを用いて説明する。先ず、エラー判別回路１５に和信号ＳＵＭ及びレンズ位置信号ＬＰが入力される（Ｓ２１及びＳ２２）。次いで、レンズ位置信号レベルを閾値ＬＰ−ｔｈと比較する（Ｓ２３）。閾値ＬＰ−ｔｈは和信号レベルの大きさに依らず記録再生を停止すべきレンズ位置信号レベルに設定する。レンズ位置信号レベルがＬＰ−ｔｈ以上だった場合はエラー判別回路１５は直ちにコントローラ１４に記録再生停止信号を出力する（Ｓ２６）。
【００４２】
レンズ位置信号レベルがＬＰ−ｔｈ以下だった場合は、次にレンズ位置信号レベルに基づいた記録再生を中断すべき和信号レベルに対する閾値ＳＵＭ−ｔｈを設定する（Ｓ２４）。ＳＵＭ−ｔｈの設定方法について図７を用いて説明する。図７の横軸は対物レンズ位置、縦軸は和信号レベルである。図中線で隔たれた２つの領域の内、右下側が記録再生を停止すべきレンズ位置と和信号レベルの組み合わせとなる。反対に左上側は記録再生を停止しなくても良いレンズ位置と和信号レベルの組み合わせとなる。
【００４３】
即ち、レンズ位置信号レベルが光学中心に対してレンズ位置が、例えば、６０μｍに相当した場合に、記録再生を停止すべき和信号レベルは１．３Ｖに設定する。また、レンズ位置信号を参照してレンズ位置が４０μｍであり、且つ、和信号レベルが１．２Ｖ以下であった時に記録再生を停止し、レンズ位置が４０μmでも和信号レベルが１．２５Ｖだったら記録再生は停止しない。これに対してレンズ位置が６０μmで、和信号レベルが１．２５Ｖであったら記録再生を停止する。ＳＵＭ−ｔｈの設定の後、和信号レベルとＳＵＭ−ｔｈの比較を行い（Ｓ２５）、和信号レベルが閾値ＳＵＭ−ｔｈ以下であった場合は記録再生停止信号を出力する（Ｓ２６）。
【００４４】
本実施形態の様にレンズ位置信号及び和信号双方の信号レベルを監視することにより、記録再生を停止する適切なタイミングを検出できる。また、レンズ位置信号及び和信号二つを参照して記録再生を停止するタイミングを正確に検出出来る為、無駄に記録再生を中断して、その分の復帰処理に要する消費電力が発生しない。更に、レンズ位置信号によって和信号レベルに対する閾値を設定する為、レンズ位置による信号レベルの変化、即ち、ピックアップの光学性能の変化に対応しつつ、記録再生を停止するタイミングを正確に検出出来る。レンズ位置信号レベルに基づいた和信号レベルに対して設定する閾値ＳＵＭ−ｔｈは、算出しても良いし、レンズ位置信号レベルに対応する和信号レベルの閾値ＳＵＭ−ｔｈをテーブルで用意しても良い。
【００４５】
また、装置内に光ディスク装置内の温度を検出する手段を設け、レンズ位置信号及び和信号に対する閾値の算出または設定を温度の検出結果に応じて変化させる構成にしてもよい。更に、和信号レベル等から光ディスクの反射率を検出する手段を設け、反射率の検出結果に応じてレンズ位置信号及び和信号に対する閾値の算出または設定を温度に応じて変化させる構成にしてもよい。
【００４６】
また、本実施形態では、レンズ位置信号と和信号を組み合わせて記録再生の停止条件を設定したが、レンズ位置信号とフォーカスエラー信号、またはレンズ位置信号とトラッキングエラー信号を組み合わせて記録再生の停止条件を設定しても良い。
【００４７】
（第３の実施形態）
図８は本発明の第３の実施形態を示すブロック図である。図８では図１０の従来装置或いは図１、図５と同じ機能を有するブロックには同じ番号を付している。本実施形態においても、データの記録或いは再生を行う際は、記録或いは再生データをショックプルーフメモリ１０に蓄え、ショックプルーフメモリ１０内の記録データ量が所定値以上もしくは再生データ量が所定値以下になると、光ディスク１上の所望のトラックにフォーカス・トラッキング制御を行い、光ディスク１へのデータの記録或いは光ディスク１からの読み出しを行う。
【００４８】
光ディスク1へのデータの記録或いは光ディスク１からの読み出しが行われている時、トラッキングエラー信号及び和信号は共にエラー判別回路１５に入力される。トラッキングエラー信号及び和信号双方を参照することはレーザ光の光ディスクに対するデトラック量及び再生信号振幅双方を参照することであり、記録或いは再生データ品位が所定値よりも下がると予測されるトラッキングエラー信号レベル及び和信号レベルが検出された場合には、エラー判別回路１５は記録再生停止信号をコントローラ１４に出力する。記録再生停止信号に応じてコントローラ１４は光ディスク１への記録或いは光ディスク１からの読み出し動作を停止する。
【００４９】
光ディスク１への記録或いは光ディスク１からの読み出し動作の停止後、コントローラ１４は記録或いは読み出し動作を停止したトラックに集光する様にフォーカス・トラッキング制御を行い、光ディスク１へのデータの記録或いは光ディスク１からの読み出しを再開する。光ディスク１への記録或いは光ディスク１からの読み出しが停止されてから再開されるまで、光ディスク１へ記録中であった場合は記録データはショックプルーフメモリ１０に格納され、光ディスク１から読み出し中であった場合はショックプルーフメモリ１０に格納されたデータを用いて再生を行う。
【００５０】
次に、エラー判別回路１５の動作について図９のフローチャートを用いて説明する。先ず、エラー判別回路１５にトラッキングエラー信号ＴＥ及び和信号ＳＵＭが入力される（Ｓ３１及びＳ３２）。次いで、トラッキングエラー信号レベルを閾値ＴＥ−ｔｈと比較する（Ｓ３３）。この閾値ＴＥ−ｔｈは和信号レベルの大きさ、即ち、再生信号振幅に依らず記録再生を停止すべきトラッキングエラー信号レベルに設定する。
【００５１】
トラッキングエラー信号レベルがＴＥ−ｔｈ以上だった場合はエラー判別回路１５は直ちにコントローラ１４に記録再生停止信号を出力する（Ｓ３６）。トラッキングエラー信号レベルがＴＥ−ｔｈ未満だった場合は、次にトラッキングエラー信号レベルに基づいた記録再生を中断すべき和信号レベルに対する閾値ＳＵＭ−ｔｈを設定する（Ｓ３４）。ＳＵＭ−ｔｈの設定方法は第２の実施形態と同様にトラッキングエラー信号レベルに応じたデトラック量が４０ｎｍの時は和信号レベルに対する閾値ＳＵＭ−ｔｈは１．０Ｖにして、デトラック量が６０ｎｍの時はＳＵＭ−ｔｈは０．８Ｖにするという様に、トラッキングエラー信号レベルに応じてＳＵＭ−ｔｈを変える。
【００５２】
トラッキングエラー信号レベルに基づいた和信号レベルに対して設定する閾値ＳＵＭ−ｔｈは、コントローラ１４が算出しても良いし、トラッキングエラー信号レベルに対応する和信号レベルの閾値ＳＵＭ−ｔｈをテーブルで用意しても良い。次に和信号レベルと前述の様に設定された閾値ＳＵＭ−ｔｈを比較する（Ｓ３５）。この時、和信号レベルがＳＵＭ−ｔｈ以下だった場合には、エラー判別回路１５は記録再生停止信号を出力する（Ｓ３６）。
【００５３】
本実施形態の様にトラッキングエラー信号及び和信号双方の信号レベルを監視することにより、記録再生を停止する適切なタイミングを検出できる。また、トラッキングエラー信号及び和信号二つを参照して記録再生を停止するタイミングを正確に検出出来る為、無駄に記録再生を中断して、その分の復帰処理に要する消費電力が発生しない。
【００５４】
また、装置内に光ディスク装置内の温度を検出する手段を設け、トラッキングエラー信号及び和信号に対する閾値の算出または設定を温度の検出結果に応じて変化させる構成にしてもよい。更に、フォーカスまたはトラッキングエラー信号レベル等から光ディスクの反射率を検出する手段を設け、トラッキングエラー信号及び和信号に対する閾値の算出または設定を反射率の検出結果に応じて変化させる構成にしてもよい。
【００５５】
なお、以上の実施形態では、トラッキングエラー信号とフォーカスエラー信号の組み合わせ、和信号とレンズ位置信号の組み合わせ、トラッキングエラー信号と和信号の組み合わせ等を例として説明したが、光ビームのパワーレベル値を組み合わせて記録或いは再生を中断するタイミングを検出しても良い。例えば、トラッキングエラー信号と光ビームのパワーレベル或いは和信号と光ビームのパワーレベルというように組み合わせても良い。光ビームのパワーレベル値とは、記録の際には記録用ビームのパワーレベル値、再生の際には再生用ビームのパワーレベル値である。
【図面の簡単な説明】
【００５６】
【図１】本発明による光学的情報記録再生装置の第１の実施形態を示すブロック図である。
【図２】第１の実施形態の記録再生中断判別処理を示すフローチャートである。
【図３】第１の実施形態の記録再生中断条件の設定方法を説明するグラフである。
【図４】第１の実施形態の効果を説明するためのグラフである。
【図５】本発明の第２の実施形態を示すブロック図である。
【図６】第２の実施形態の記録再生中断判別処理を示すフローチャートである。
【図７】第２の実施形態の記録再生中断条件の設定方法を説明するグラフである。
【図８】本発明の第３の実施形態を示すブロック図である。
【図９】第３の実施形態の記録再生中断判別処理を示すフローチャートである。
【図１０】従来例の光ディスク装置を示すブロック図である。
【符号の説明】
【００５７】
１  光ディスク
２  スピンドルモータ
３  ピックアップ
４  フォーカスエラー生成回路
５、８  位相補償フィルタ
６  フォーカスアクチュエータドライバー
７  トラッキングエラー生成回路
９  トラッキングアクチュエータドライバー
１０  ショックプルーフメモリ
１１  デコーダ
１２  エンコーダ
１３  トラッキングエラー監視回路
１４  コントローラ
１５  エラー判別回路
１６  和信号生成回路
１７  レンズ位置信号生成回路
【図１】
2006004568.tif 000003
【図２】
2006004568.tif 000004
【図３】
2006004568.tif 000005
【図４】
2006004568.tif 000006
【図５】
2006004568.tif 000007
【図６】
2006004568.tif 000008
【図７】
2006004568.tif 000009
【図８】
2006004568.tif 000010
【図９】
2006004568.tif 000011
【図１０】
2006004568.tif 000012